(57)【特許請求の範囲】
【請求項１】
透明樹脂からなる第一ブリスタ部と第二ブリスタ部と両ブリスタ部を内側辺にて連結する平板部とを有したクリップ付筆記具用のブリスタパックであって、前記ブリスタパックの展開状態において、前記第一ブリスタ部に前記平板部の裏面側に向かって突出する隆起部を形成し且つ該隆起部の中間部に筆記具収容用の収容凹部を当該隆起部の天面部から前記平板部の表面側に向かって突出するよう形成すると共に前記第一ブリスタ部の外縁に該第一ブリスタ部の前記天面部側に向かって折り返すクリップ係止用舌片を突設し、前記第二ブリスタ部に前記第一ブリスタ部の隆起部を被覆させる被覆部を前記平板部の裏面側に向かって突出させて形成したことを特徴とするクリップ付筆記具用のブリスタパック。
【請求項２】
前記第二ブリスタ部の表面に前記第一ブリスタ部の収容凹部と同じ長さで形成した膨出部を設けたことを特徴とする請求項１に記載のクリップ付筆記具用のブリスタパック。
【発明の詳細な説明】
【技術分野】
【０００１】
本発明は内部に商品を収容して店舗の陳列棚などに陳列する包装容器に係り、さらに詳細にはクリップ付筆記具用のブリスタパックに関する。
【背景技術】
【０００２】
従来より、筆記具等の小物商品は陳列棚のフックに吊り下げて陳列する方法が広く採用されており。特に商品を包装した状態で展示が可能となる、所謂ブリスタパックと呼ばれる包装容器の利用も多い。
【０００３】
前記ブリスタパックにクリップ付筆記具を収容する場合、透明で中身が見えることから、筆記具のクリップは正面を向けて収容させたいのだが、筆記具の軸筒は主に円筒形状をしているため、回転して、クリップの向きが正面からずれてしまう場合があった。そのため商品の包装容器には筆記具の回転防止機構を有するものが求められ、例えば特開平１１−１６５７４２号公報にあるように、クリップに薄板状の補助具を装着して回転を防止させる構造を用いたり、あるいはブリスタパックでは、表面側にクリップが入る膨出部を設けてクリップを係止させて回転を防止する構造などが採用されていた。
【０００４】
しかしながら、前述した特開平１１−１６５７４２号公報に記載の構造では、包装容器の他に別体である補助具を必要とし、包装容器に商品を収容する際に作業の手間が掛ってしまった。またブリスタパックの表面側にクリップを係止させる膨出部を設ける構造では、クリップに合わせて膨出部を形成する必要があり、内部に収容する筆記具が特定されてしまった。
【先行技術文献】
【特許文献】
【０００５】
【特許文献１】特開平１１−１６５７４２号公報
【発明の概要】
【発明が解決しようとする課題】
【０００６】
本発明が解決する課題は、ブリスタパック内にクリップ付筆記具を収容させた際に、収容部内のクリップ付筆記具のクリップを、常に正面を向いた状態で維持させることができる構造のクリップ付筆記具用のブリスタパックを得ることにある。
【課題を解決するための手段】
【０００７】
本発明は、
「１．透明樹脂からなる第一ブリスタ部と第二ブリスタ部と両ブリスタ部を内側辺にて連結する平板部とを有したクリップ付筆記具用のブリスタパックであって、前記ブリスタパックの展開状態において、前記第一ブリスタ部に前記平板部の裏面側に向かって突出する隆起部を形成し且つ該隆起部の中間部に筆記具収容用の収容凹部を当該隆起部の天面部から前記平板部の表面側に向かって突出するよう形成すると共に前記第一ブリスタ部の外縁に該第一ブリスタ部の前記天面部側に向かって折り返すクリップ係止用舌片を突設し、前記第二ブリスタ部に前記第一ブリスタ部の隆起部を被覆させる被覆部を前記平板部の裏面側に向かって突出させて形成したことを特徴とするクリップ付筆記具用のブリスタパック。
２．前記第二ブリスタ部の表面に前記第一ブリスタ部の収容凹部と同じ長さで形成した膨出部を設けたことを特徴とする１項に記載のクリップ付筆記具用のブリスタパック。」である。
【発明の効果】
【０００８】
本発明のクリップ付筆記具用のブリスタパックは、ブリスタパックと一体で形成されたクリップ係止用舌片によって、ブリスタパックの収容凹部内に収容したクリップ付筆記具の回転を防止することができ、また第一ブリスタ部と第二ブリスタ部と平板部およびクリップ係止用舌片の全てが一体となっていることから、その扱いが楽になるという効果を得ることができる。さらに第二ブリスタ部に第一ブリスタ部の収容凹部と同じ長さの膨出部を形成することにより、さまざまな筆記具に対応させることができるようになる。
【図面の簡単な説明】
【０００９】
【図１】図１は本発明の実施例におけるブリスタパックの展開図である。
【図２】図２は図１のブリスタパックにクリップ付筆記具を収容させた状態を示す図である。
【発明を実施するための形態】
【００１０】
次に図面を参照しながら、本発明の包装容器について説明を行うが、本発明は以下の実施例に限定されるものではない。また図中の同じ部材、同じ部品については、同じ符号としてある。
【００１１】
図１を用いて本実施例のブリスタパックの展開状態について説明を行う。図１に示すようにブリスタパック１は透明樹脂からなる第一ブリスタ部２と第二ブリスタ部３と両ブリスタ部を内側辺４ａ，４ｂにて連結する平板部４とを有し、第一ブリスタ部２に平板部４の裏面側４ｄ側に向かって突出する隆起部２ａを形成し且つ隆起部２ａの中間部に筆記具収容用の収容凹部２ｂを隆起部２ａの天面部２ｃから平板部４の表面側４ｃに向かって突出するよう形成すると共に第一ブリスタ部２の外縁に、第一ブリスタ部２の天面部２ｃに向かって折り返すクリップ係止用舌片２ｄを突設してある。また第二ブリスタ部３には、第一ブリスタ部２の隆起部２ａを被覆させる被覆部３ａを平板部４の裏面側４ｄに向かって突出させて形成してある。尚、本実施例では、第二ブリスタ部３の天面部３ｂに後述する筆記具のクリップを包囲する膨出部３ｃを形成してある。また、平板部４の上方に吊下孔４ｅを穿孔してある。
【００１２】
次に図２を用いて本実施例のブリスタパックにクリップ付筆記具を収容させた状態について説明を行う。図２に示すようにブリスタパック１は、図１の展開状態から図１に示した矢印Ａと矢印Ｂの順番で、第一ブリスタ部２と第二ブリスタ部３とを折り返してあり、その際に第一ブリスタ部２の収容凹部２ｂにクリップ付筆記具５のクリップ５ａを、第一ブリスタ部２に形成したクリップ係止用舌片２ｄに係止させて収容することにより、図２に示すようにクリップ付筆記具５のクリップ５ａが正面を向いた状態を維持させることができた。またこの状態で、第二ブリスタ部３の天面部３ｂに形成した膨出部３ｃの内方に、クリップ５ａが位置するので、クリップ付筆記具５の突出したクリップ５ａが第二ブリスタ部２の天面部３ｂの内面に接触して傷つくことはなかった。
【産業上の利用可能性】
【００１３】
本発明のブリスタパックは、クリップ付筆記具以外にもクリップが付いた化粧具や塗布具などの包装容器として採用することができる。
【符号の説明】
【００１４】
１…ブリスタパック、
２…第一ブリスタ部、２ａ…隆起部、２ｂ…収容凹部、２ｃ…天面部、
２ｄ…クリップ係止用舌片、
３…第二ブリスタ部、３ａ…被覆部、３ｂ…天面部、３ｃ…膨出部、
４…平板部、４ａ，４ｂ…内側辺、４ｃ…表面側、４ｄ…裏面側、
４ｅ…吊下孔、
５…クリップ付筆記具、５ａ…クリップ。
【図１】
0005394269.tif 000002
【図２】
0005394269.tif 000003